(57)【要約】【課題】長時間労働による過重労働を物理的に制限し得るセキュリティシステムを提供する。【解決手段】セキュリティシステムは、管理区域の入退室を管理するセキュリティシステムであって、管理区域の入室用と退室用にそれぞれ設置され、認証媒体の情報を読み取るリーダ（入室用カードリーダ１１ａ、退室用カードリーダ１１ｂ）と、リーダからの読取り情報を管理する制御装置（制御盤２０）とを有し、制御装置は、退室した退室時刻を記憶部に記録し、退室時刻から所定時間が経過するまで入室時の認証を不許可とする。制御装置は、１日の最終退室時刻を退室時刻とし、次の入室時の認証時に、最終退室時刻から所定時間が経過するまで入室時の認証を不許可とする。【選択図】図１
2020077148.tif 000002
【特許請求の範囲】
【請求項１】
管理区域の入退室を管理するセキュリティシステムであって、
前記管理区域の入室用と退室用にそれぞれ設置され、認証媒体の情報を読み取るリーダと、
前記リーダからの読取り情報を管理する制御装置とを有し、
前記制御装置は、退室した退室時刻を記憶部に記録し、前記退室時刻から所定時間が経過するまで入室時の認証を不許可とする
ことを特徴とするセキュリティシステム。
【請求項２】
請求項１に記載のセキュリティシステムにおいて、
前記制御装置は、１日の最終退室時刻を前記退室時刻とし、次の入室時の認証時に、前記最終退室時刻から前記所定時間が経過するまで入室時の認証を不許可とする
ことを特徴とするセキュリティシステム。
【請求項３】
請求項１に記載のセキュリティシステムにおいて、
前記退室時刻の記録は、退室用の前記リーダの周辺に設けた押下手段が押下された場合、最終退室時刻とし、前記押下手段が押下されない場合、前記最終退室時刻としない
ことを特徴とするセキュリティシステム。
【請求項４】
請求項３に記載のセキュリティシステムにおいて、
前記管理区域は、複数の拠点があり、いずれかの拠点の前記押下手段が押下された場合、前記制御装置は、前記最終退室時刻として前記記憶部に記録する
ことを特徴とするセキュリティシステム。
【請求項５】
請求項１に記載のセキュリティシステムにおいて、
前記セキュリティシステムは、メールサーバまたはＷＥＢサーバを有し、
前記メールサーバは、前記退室時刻、及び、次に入室することが可能な入室可能時刻を、予め登録されたメールアドレスへメール送信する手段を有する、もしくは、前記ＷＥＢサーバは、ＷＥＢ上で前記退室時刻および前記入室可能時刻を閲覧できる手段を有する
ことを特徴とするセキュリティシステム。
【請求項６】
請求項１に記載のセキュリティシステムにおいて、
前記制御装置は、前記退室時刻後、所定時間が経過するまで入室時の認証を不許可とするとともに、アラーム発報、メッセージ鳴動による案内、表示端末の画面上へのメッセージ表示することの少なくともいずれかの方法で報知する
ことを特徴とするセキュリティシステム。
【請求項７】
請求項１に記載のセキュリティシステムにおいて、
前記リーダは、生体情報を用いた認証機能を有する
ことを特徴とするセキュリティシステム。
【請求項８】
管理区域の入室用と退室用にそれぞれ設置され、認証媒体の情報を読み取るリーダと、前記リーダからの読取り情報を管理する制御装置とを有し、前記管理区域の入退室を管理するセキュリティシステムの管理プログラムであって、
前記制御装置に、
退室した退室時刻を記憶部に記録する処理と、
前記退室時刻から所定時間が経過するまで入室時の認証を不許可とする処理とを
実行させるための管理プログラム。
【発明の詳細な説明】
【技術分野】
【０００１】
本発明は、ビルや工場等の建物を含む管理区域または該建物を含む管理区域内のエリアへの入室を管理するセキュリティシステムおよび管理プログラムに関する。
【背景技術】
【０００２】
近年、ビルや工場等の建物の入退室セキュリティシステムにおいて、非接触式カードやキーを利用したセキュリティが主流となってきている。例えば、特許文献１には、利用者が、入室用カードリーダにＩＤ（identifier）カードのＩＤを読み込ませ、管理制御部が取得したＩＤが認証比較データに登録されている場合、電気錠を解錠し、利用者が扉を開けて管理区画へと入室することが可能とする。一方、取得したＩＤが認証比較データに登録されていない場合、告知手段により利用者の所持するＩＤカードのＩＤが管理区画の入室を許可されていないことを利用者に知らせ、電気錠の施錠状態を維持することが記載されている。
【先行技術文献】
【特許文献】
【０００３】
【特許文献１】特開２００７−２３５２６号公報（段落００１２〜００１５）
【発明の概要】
【発明が解決しようとする課題】
【０００４】
一方で、労働者の健康確保とワーク・バランスの推進のために「勤務間インターバル制度」が導入された。「勤務間インターバル」は、勤務終了後、一定時間以上の「休息時間」を設けることで、働く方の生活時間や睡眠時間を確保するものである。２０１８年６月２９日に成立した「働き方改革関連法」に基づき「労働時間等設定改善法」が改正され、前日の終業時刻から翌日の始業時刻の間に一定時間の休息を確保することが事業主の努力義務として規定された（２０１９年４月１日施行）。労働者が日々働くにあたり、必ず一定の休息時間を取れるようにすることが求められる。しかしながら、事業主の努力義務であるため、長時間残業のある職場では、「勤務間インターバル」が取れない課題がある。また、労働者の自発的管理に依存していれば、長時間労働はなかなか改善されない課題がある。
【０００５】
本発明は、前記の課題を解決するための発明であって、長時間労働による過重労働を物理的に制限し得るセキュリティシステムおよび管理プログラムを提供することを目的とする。
【課題を解決するための手段】
【０００６】
前記目的を達成するため、本発明のセキュリティシステムは、管理区域の入退室を管理するセキュリティシステムであって、管理区域の入室用と退室用にそれぞれ設置され、認証媒体の情報を読み取るリーダ（例えば、入室用カードリーダ１１ａ、退室用カードリーダ１１ｂ）と、リーダからの読取り情報を管理する制御装置（例えば、制御盤２０）とを有し、制御装置は、退室した退室時刻を記憶部に記録し、退室時刻から所定時間が経過するまで入室時の認証を不許可とすることを特徴とする。本発明のその他の態様については、後記する実施形態において説明する。
【発明の効果】
【０００７】
本発明によれば、長時間労働による過重労働を物理的に制限し得る。
【図面の簡単な説明】
【０００８】
【図１】第１実施形態に係る入退室セキュリティシステムのシステム構成を示す図である。
【図２】第１実施形態に係る入退室セキュリティシステムの入退室管理制御の流れを示すフローチャートである。
【図３】第２実施形態に係る入退室セキュリティシステムのシステム構成を示す図である。
【図４】第２実施形態に係る入退室セキュリティシステムの入退室管理制御の流れを示すフローチャートである。
【図５】第２実施形態に係る入退室に伴い入退室管理情報を示す図である。
【図６】第２実施形態に係る入退室に伴い入退室管理情報の他の例を示す図である。
【図７】第２実施形態に係る入退室に伴い入退室管理情報のその他の例を示す図である。
【発明を実施するための形態】
【０００９】
本発明を実施するための実施形態について、適宜図面を参照しながら詳細に説明する。
<<第１実施形態>>
＜入退室セキュリティシステムＳの概要＞
図１は、第１実施形態に係る入退室セキュリティシステムＳの装置構成を示す図である。第１実施形態の入退室セキュリティシステムＳは、オフィスビル、テナントビル、工場等の建物含む管理区域および建物のエリア内を含む管理区域１のエリア内への不正侵入者を防止し、セキュリティを確保するためのシステムである。
【００１０】
＜入退室セキュリティシステムＳの全体構成＞
第１実施形態の入退室セキュリティシステムＳは、セキュリティ確保のために、ビルの出入口となる扉１３にそれぞれ、入室者２が所持する非接触式カード１２のカード情報を読み取る非接触式カードリーダ１１が設けられている。非接触式カードリーダ１１は、扉１３の外側に設置された入室用カードリーダ１１ａ（非接触式カードリーダ）と、扉１３の内側に設置された退室用カードリーダ１１ｂ（非接触式カードリーダ）が設けられている。
【００１１】
そして、この非接触式カードリーダ１１、扉１３（電気錠、自動ドア等）を制御する制御盤２０（制御装置）が、入退室セキュリティシステムＳに設けられている。制御盤２０は、非接触式カードリーダ１１の認証結果の取得、状態取得、制御や、扉１３（電気錠、自動ドア等）の機器状態取得、制御を行い、状態をＨＵＢ２１経由でサーバ２２に送信する機能を有する。なお、認証端末は、非接触式カードリーダ１１にこだわらず、指静脈などによる生体認証装置１４を用いてもよい。
【００１２】
また、入室者２は、非接触式カードリーダ１１に設けられた釦１７（押下手段）や、タッチパネル付き表示器１５に設けられた釦を押下することにより、操作することも可能とする。例えば、退室(退勤)側の釦１７を押下することにより、その日の業務を終了する意思を登録することが可能である。
【００１３】
以下、入退室セキュリティシステムＳの各部の構成について説明する。
＜非接触式カード１２＞
非接触式カード１２は、カードの中にＩＣ（Integrated Circuit）チップとアンテナが内蔵され、電磁誘導により情報の授受が行われる非接触式のＩＣカードである。非接触式カード１２のＩＣチップには、非接触式カード１２に付与されるカードＩＤが記録されている。
【００１４】
＜非接触式カードリーダ１１＞
非接触式カードリーダ１１は、非接触式カード１２の情報を無線で読み取る装置であり、アンテナ、ＲＦ（Radio Frequency）回路、Ｉ／Ｆ（interface）回路、マイコン（Microcomputer）等を有している。
【００１５】
＜生体認証装置１４＞
生体認証装置１４は、例えば、指静脈認証装置などが挙げられる。指静脈認証装置は、近赤外線を指に透過させて得られる静脈パターンの画像から静脈の部分を人工知能手法で鮮明な静脈パターンとして検出する装置であり、予め登録された静脈パターンと、扉１３（電気錠、自動ドア等）の近傍に設置された生体認証装置１４で検出された入室者２の静脈パターンとを照合して個人の認証を行う装置である。
【００１６】
＜タッチパネル付き表示器１５＞
タッチパネル付き表示器１５は、タブレットなどと同様の機能を備えており、例えば、入室者２が入室したり退室する際に、非接触式カード１２を非接触式カードリーダ１１にかざした時に、その認証結果を表示させたり、入室者２がタッチパネル付き表示器１５の表示器上に映し出された釦をタッチすることによって、各種設定することができる。タッチパネル付き表示器１５は、制御盤２０やサーバ２２と通信することにより、状態を更新することができる。
【００１７】
＜制御盤２０＞
制御盤２０（制御装置）は、非接触式カードリーダ１１等との通信を行い、操作命令の信号を送信することにより、扉１３（電気錠、自動ドア等）の開閉制御を行ったり、サーバ２２と通信を行うことにより、クライアントＰＣ２３上で、非接触式カードリーダ１１、扉（電気錠、自動ドア等）１３の状態を確認したり、制御することを可能とする。
【００１８】
制御盤２０は、非接触式カードリーダ１１、扉１３（電気錠、自動ドア等）およびサーバ２２等からの信号に応じて制御を行うマイコン（制御部）を保有し、これらの信号をマイコンに適合した入力信号に変換する増幅回路、Ａ／Ｄ変換回路等の入力インターフェースと、マイコンからの制御信号である出力信号に応じて、非接触式カードリーダ１１等を制御するための出力インターフェースとを備え構成されている。
【００１９】
制御盤２０のマイコンのＲＯＭ（Read Only Memory）には、制御プログラム（管理プログラム）が格納され、該制御プログラムが実行されることにより、非接触式カードリーダ１１等からの信号に応じて、認証を行う。そして、認証可の場合には、扉１３を開放制御する一方、認証否の場合には、扉１３を閉塞制御したままとする制御等の入退室管理制御(詳細は後記)が行われる。
【００２０】
マイコンのＲＯＭ（記憶部）には、入退室管理制御に使用される各種データが記録されるデータベース（図示せず）が格納されている。このデータベースには、管理区域１への入室を許可する非接触式カード１２の登録カードＩＤ、該登録カードＩＤの有効期間、該登録カードＩＤの管理区域１内の入退室許可エリア、該登録カードＩＤの非接触式カード１２を紛失した場合に、紛失した非接触式カード１２を無効とするための有効フラグ等のデータが記憶されている。
【００２１】
＜サーバ２２＞
サーバ２２は、ＨＵＢ２１を経由して、制御盤２０と接続される。非接触式カードリーダ１１、扉１３等の状態，入退室管理情報２０Ｄ（図５、図６、図７参照）が制御盤２０から送信され、サーバ２２上に反映される。また、異常や故障等のアラームも制御盤２０からサーバ２２に発報され、反映される。これらの状態は、サーバ２２から接続されたクライアントＰＣ２３上で確認することができる。また、クライアントＰＣ２３上で操作が行われた際は、サーバ２２から制御盤２０に送信され、非接触式カードリーダ１１、扉１３等の制御を行うことも可能とする。
【００２２】
＜クライアントＰＣ２３＞
クライアントＰＣ２３は、前記サーバ２２上のデータを閲覧、制御するためのツールであり、非接触式カードリーダ１１、扉１３、制御盤２０等の状態を確認することや、これらの制御を行うことが可能である。また、クライアントＰＣ２３は、カードの設定や、通行権限、スケジュール等入退室管理システムの各種設定を可能とする。
【００２３】
＜入退室セキュリティシステムＳの入退室管理制御＞
次に、本発明の第１実施形態に係る入退室セキュリティシステムＳの入退室管理制御について、説明する。ここで、この入退室管理制御は、前記したように、制御盤２０のマイコン（制御部）に格納される制御プログラムが実行されることにより行われる。
【００２４】
図２は、第１実施形態に係る入退室セキュリティシステムＳの入退室管理制御の流れを示すフローチャートである。適宜図１を参照する。図２において、入室する際、退室する際、翌日再入室する際について説明する。この入退室セキュリティシステムＳの入退室管理制御は、前記したように、制御盤２０のマイコン（制御部）に格納される制御プログラムが実行されることにより行われる。
【００２５】
（入室する際）
管理区域１に入室する入室者２は、まず、入室する際に、所持する非接触式カード１２を管理区域１の出入口となる扉１３の周辺に設置された入室用カードリーダ１１ａにかざして認証を行う。非接触式カード１２がかざされた入室用カードリーダ１１ａは、非接触式カード１２のカードＩＤを読み取り、読み取ったカードＩＤを表す信号を制御部に送信する。
【００２６】
カードＩＤの信号を受信した制御部は、予めデータベースに登録された登録カードＩＤと読み取ったカードＩＤとを照合し、両者が合致し、かつ、合致する登録カードＩＤのレコードの有効フラグが「１」(有効)であるか否かを判定する（ステップＳ１０１）。
【００２７】
制御部は、読み取った非接触式カード１２のカードＩＤが、登録カードＩＤと合致しない場合、あるいは、有効フラグが「１」でない場合（ステップＳ１０１，Ｎｏ）、認証不可として、管理区域１の出入口となる扉１３の閉塞制御を継続し（制御端末閉制御継続）（ステップＳ１０２）、扉１３からの入室を不可とする。
【００２８】
一方、認証可（ステップＳ１０１，Ｙｅｓ）の場合、制御部は、入室か退室かを判定し（ステップＳ１０３）、入室の場合（ステップＳ１０３，入室）、退室時刻から所定時間（例えば、８時間）経過しているか否かを判定する（ステップＳ１０４）。制御部は、所定時間経過していない場合（ステップＳ１０４，Ｎｏ）、ステップＳ１０２に進み、所定時間経過している場合（ステップＳ１０４，Ｙｅｓ）、ステップＳ１０５に進む。なお、ステップＳ１０４において、入室者２がこれまで退室した履歴がない場合（初めての入室の場合）、ステップＳ１０５に進む。
【００２９】
制御部は、管理区域１の出入口となる扉１３の開制御をし（制御端末を開制御）（ステップＳ１０５）、扉１３からの入室を可とする。この際に、入室者２が入室した日時を制御部のＲＯＭに記憶する。退室日時を記憶する場所は制御部にこだわらず、非接触式カードリーダ１１内、もしくは、サーバ２２としてもよい。
【００３０】
（退室する際）
入室者２が管理区域１から退室を行う際に、退室用カードリーダ１１ｂに非接触式カード１２を読み込ませ、認証を行う。退室用カードリーダ１１ｂは、かざされた非接触式カード１２のカードＩＤを読み取り、読み取ったカードＩＤを表す信号を制御部に送信する。
【００３１】
カードＩＤの信号を受信した制御部は、予めデータベースに登録された登録カードＩＤと読み取ったカードＩＤとを照合し、両者が合致し、かつ、合致する登録カードＩＤのレコードの有効フラグが「１」(有効)であるか否かを判定する（ステップＳ１０１）。
【００３２】
制御部は、読み取った非接触式カード１２のカードＩＤが、登録カードＩＤと合致しない場合、あるいは、有効フラグが「１」でない場合（ステップＳ１０１，Ｎｏ）、認証不可として、管理区域１の出入口となる扉１３の閉塞制御を継続し（制御端末閉制御継続）（ステップＳ１０２）、扉１３からの退室を不可とする。
【００３３】
一方、認証可（ステップＳ１０１，Ｙｅｓ）の場合、制御部は、入室か退室かを判定し（ステップＳ１０３）、退室の場合（ステップＳ１０３，退室）、ステップＳ１０５に進む。
【００３４】
制御部は、管理区域１の出入口となる扉１３の開制御をし（制御端末を開制御）（ステップＳ１０５）、扉１３からの退室を可とする。この際に、入室者２が退室した日時を制御部のＲＯＭに記憶する。退室日時を記憶する場所は制御部にこだわらず、非接触式カードリーダ１１内、もしくは、サーバ２２としてもよい。
【００３５】
（翌日再入室する際）
翌日、入室者２が管理区域１に入室を行う際に、入室用カードリーダ１１ａに非接触式カード１２を読み込ませ、認証を行う。入室用カードリーダ１１ａは、かざされた非接触式カード１２のカードＩＤを読み取り、読み取ったカードＩＤを表す信号を制御部に送信する。
【００３６】
カードＩＤの信号を受信した制御部は、予めデータベースに登録された登録カードＩＤと読み取ったカードＩＤとを照合し、両者が合致し、かつ、合致する登録カードＩＤのレコードの有効フラグが「１」(有効)であるか否かを判定する（ステップＳ１０１）。
【００３７】
制御部は、読み取った非接触式カード１２のカードＩＤが、登録カードＩＤと合致しない場合、あるいは、有効フラグが「１」でない場合（ステップＳ１０１，Ｎｏ）、認証不可として、管理区域１の出入口となる扉１３の閉塞制御を継続し（制御端末閉制御継続）（ステップＳ１０２）、扉１３からの入室を不可とする。
【００３８】
一方、認証可（ステップＳ１０１，Ｙｅｓ）の場合、制御部は、入室か退室かを判定し（ステップＳ１０３）、入室の場合（ステップＳ１０３，入室）、入室用カードリーダ１１ａでかざされた非接触式カード１２のカードＩＤから、入室者２の前日の退室時刻を特定し、退室時刻から所定時間（例えば、８時間）経過しているか判定する（ステップＳ１０４）。退室から入室するための認証を行うまでの時間が所定時間（例えば８時間）を経過している場合（ステップＳ１０４，Ｙｅｓ）、ステップＳ１０５に進み、入室を許可し、これ以外の場合（ステップＳ１０４，Ｎｏ）、ステップＳ１０２に進み、インターバルタイムエラーとして、入室不可と判断し、所定の時間が経過するまでは入室不可とする。
【００３９】
なお、入室者２が管理区域１から退室してから、再度入室するまでのインターバル時間（インターバルタイム）は任意で設定できるものとし、必ずしも翌日でなくともよい。
【００４０】
また、その日の最終退室でない場合は、すぐに再入室することは可能とし、最終退室（退勤）から翌日の入室（出勤）までの時間をインターバル時間として、制限するものとする。その日の最終退室か否かについては、日付で管理をしてもよいが、退室の際に、入室者２が、退室用カードリーダ１１ｂに搭載された「退室」側の釦１７（押下手段）を押下することによって、識別してもよい。もしくは、「退室」側の釦１７は退室用カードリーダ１１ｂに必ずしも搭載されている必要はなく、退室用カードリーダ１１ｂ周辺に設置された釦、もしくは、タブレット等のタッチパネル付き表示器１５を用いて、その画面上に表示された釦を操作することによって識別してもよい。
【００４１】
また、前記カード認証においては、非接触式カード１２を不正に所持している不正利用者が入室できてしまうことになる。しかしながら、非接触式カード１２を紛失した際に、正当な入室者２が事前に管理者に連絡し、管理者が制御部に格納されるデータベースの該当する登録カードＩＤのレコードの有効フラグを「０」(無効)とシステム登録する。これにより、紛失した非接触式カード１２の不正利用を停止し、紛失した非接触式カード１２の不正利用者の管理区域１内への入室を未然に防ぐことができる。
【００４２】
なお、第１実施形態においては、非接触式カード１２を用いるカード認証でのセキュリティの維持と示したが、指静脈認認証などの生体認証装置１４による生体認証としてもよい。
【００４３】
<<第２実施形態>>
図３は、第２実施形態に係る入退室セキュリティシステム２Ｓの装置構成を示す図である。第１実施形態では単一の管理区域の場合について説明したが、第２実施形態では、複数の管理区域を有する場合について説明する。
【００４４】
＜入退室セキュリティシステム２Ｓの概要＞
第２実施形態の入退室セキュリティシステム２Ｓは、オフィスビル、工場等の建物含む管理区域および建物のエリア内を含む管理区域１ａ（拠点Ａ）、および、該管理区域（拠点Ａ）の管理区域外にある管理区域１ｂ（拠点Ｂ）等、複数の拠点に係るエリア内への不正侵入者を防止し、セキュリティを確保するためのシステムである。
【００４５】
＜入退室セキュリティシステム２Ｓの全体構成＞
第２実施形態の入退室セキュリティシステム２Ｓは、ビルの出入口となる扉１３にそれぞれ、入室者２が所持する非接触式カード１２のカード情報を読み取る非接触式カードリーダ１１が設けられている。非接触式カードリーダ１１は、扉１３の外側に設置された入室用カードリーダ１１ａと、扉１３の内側に設置された退室用カードリーダ１１ｂが設けられている。
【００４６】
そして、この非接触式カードリーダ１１、扉１３（電気錠、自動ドア等）を制御する制御盤２０が、入退室セキュリティシステム２Ｓに設けられている。制御盤２０は、非接触式カードリーダ１１の認証結果の取得、状態取得、制御や、扉１３（電気錠、自動ドア等）の機器状態取得、制御を行い、状態をＨＵＢ２１経由でサーバ２２に送信する機能を有する。なお、認証端末は、非接触式カードリーダ１１にこだわらず、指静脈などによる生体認証装置１４を用いてもよい。
【００４７】
また、入室者２は、非接触式カードリーダ１１に設けられた釦１７（押下手段）や、タッチパネル付き表示器１５に設けられた釦を押下することにより、操作することも可能とする。例えば、退室(退勤)側の釦１７を押下することにより、その日の業務を終了する意思を登録することが可能である。
【００４８】
前記管理区域１ａ（拠点Ａ）の管理区域外にある管理区域１ｂ（拠点Ｂ）においても、同様に非接触式カードリーダ１１、扉１３、および、これらを制御する制御盤２０が設けられている。管理区域１ｂ（拠点Ｂ）にある制御盤２０は、ネットワーク経由で、管理区域１ａ（拠点Ａ）に設置されているサーバ２２に接続され、非接触式カードリーダ１１や扉１３の状態取得、制御を行うことが可能である。
【００４９】
サーバ２２は、各拠点から送付された入退室管理情報（図５〜図７参照）を関連する拠点に送付し、各拠点の制御盤２０で、インターバル時間（インターバルタイム）エラーか否かを判定してもよい。
【００５０】
＜入退室セキュリティシステム２Ｓの入退室管理制御＞
図４は、第２実施形態に係る入退室セキュリティシステム２Ｓの入退室管理制御の流れを示すフローチャートである。適宜図３を参照する。入退室セキュリティシステム２Ｓの入退室管理制御について、図４に従って説明する。図４は、図２と比較してステップＳ２０１〜Ｓ２０５が追加されている。図２に記載の同一構成品については、同一符号を付しており、説明を省略する。ここでは、既に入室者２が管理区域１ａ（拠点Ａ）に入室しているとして説明する。なお、この入退室セキュリティシステム２Ｓの入退室管理制御は、前記したように、制御盤２０のマイコン（制御部）に格納される制御プログラムが実行されることにより行われる。
【００５１】
（退室する際）
入室者２が管理区域１ａ（拠点Ａ)から退室を行う際に、退室用カードリーダ１１ｂに非接触式カード１２を読み込ませ、認証を行う。退室用カードリーダ１１ｂは、かざされた非接触式カード１２のカードＩＤを読み取り、読み取ったカードＩＤを表す信号を制御部に送信する。
【００５２】
カードＩＤの信号を受信した制御部は、予めデータベースに登録された登録カードＩＤと照合し、両者が合致し、かつ、合致する登録カードＩＤの有効フラグが「１」(有効)である場合に原則退室を許可し（ステップＳ１０１，Ｙｅｓ）、これ以外の場合には退室不可と判断する（ステップＳ１０１，Ｎｏ）。
【００５３】
退室が許可された場合（ステップＳ１０３，退室）、制御部は、退室用カードリーダ１１ｂに搭載された「退室(退勤)」側の釦１７を押下されたか否か（退室操作（退勤操作））を判定する（ステップＳ２０１）。退室操作がない場合（ステップＳ２０１，Ｎｏ）、ステップＳ１０５に進む。退室操作がある場合（ステップＳ２０１，Ｙｅｓ）、制御部は、ＲＯＭに最終フラグを「１」に設定し（図５参照）（ステップＳ２０２）、ステップＳ１０５に進む。最終フラグとは、本日の帰宅を意味する。ここで、退室操作があった際の退室時刻が「最終退室時刻」となる。
【００５４】
なお、「退室(退勤)」側の釦１７は、退室用カードリーダ１１ｂに必ずしも搭載されている必要はなく、退室用カードリーダ１１ｂ周辺に設置された釦、もしくは、タブレット等のタッチパネル付き表示器１５を用いて、その画面上に表示された釦を操作することによって識別してもよい。
【００５５】
（入室する際）
翌日、入室者２が管理区域１に入室を行う際、直前に退室を行った管理区域１ａ(拠点Ａ)１ａである必要はなく、管理区域１ｂ(拠点Ｂ)で入室することも可能とする。入室者２が入室用カードリーダ１１ａに非接触式カード１２を読み込ませ、認証を行う。入室用カードリーダ１１ａは、かざされた非接触式カード１２のカードＩＤを読み取り、読み取ったカードＩＤを表す信号を制御部に送信する。
【００５６】
カードＩＤの信号を受信した制御部は、予めデータベースに登録された登録カードＩＤと照合し、両者が合致し、かつ、合致する登録カードＩＤの有効フラグが「１」(有効)である場合に原則入室を許可し（ステップＳ１０１，Ｙｅｓ）、これ以外の場合には入室不可と判断する（ステップＳ１０１，Ｎｏ）。
【００５７】
入室が原則許可された場合（ステップＳ１０３，入室）、制御部は、入室用カードリーダ１１ａでかざされた非接触式カード１２のカードＩＤから、入室者２が直前の操作の結果として、最終フラグ設定が有るか否かの判定を行う（ステップＳ２０３）。
【００５８】
最終フラグ設定がない場合（ステップＳ２０３，Ｎｏ）、退室時刻からの経過を判定する必要はなく、インターバル時間（インターバルタイム）を確保することなく、管理区域１ａ（拠点Ａ）、もしくは、管理区域１ｂ(拠点Ｂ)に続けて入室することが可能となる（ステップＳ１０５）。
【００５９】
一方、最終フラグ設定が有る場合（ステップＳ２０３，Ｙｅｓ）、前日の退室時刻を特定し、退室時刻から所定時間（例えば、８時間）経過しているか否かの判定を行う（ステップＳ２０４）。退室から入室するための認証を行うまでの時間が最終退室時刻から所定時間を経過している場合（ステップＳ２０４，Ｙｅｓ）、最終フラグを解除し（最終フラグを「０」にリセット）（ステップＳ２０５）、入室を許可する（ステップＳ１０５）。これ以外の場合にはインターバルタイムエラーとして、入室不可と判断し、所定の時間が経過するまでは入室不可とする（ステップＳ１０２）。
【００６０】
これにより、管理区域１ａ（拠点Ａ）から一時的に退室を行い、再度、管理区域１ａ（拠点Ａ）に入室したり、管理区域１ａ（拠点Ａ）の管理区域外にある管理区域１ｂ（拠点Ｂ）に入室したりすることが可能となる。入室者２が退室時に退室用カードリーダ１１ｂや、タッチパネル付き表示器１５等で「退室操作（退勤操作）」を行わない限り、インターバル時間を経過することなく、管理区域１に入室することを可能とする。
【００６１】
なお、前記インターバルタイムエラーにより入室不可の場合は、入室用カードリーダ１１ａ、および、タッチパネル付き表示器１５等に、退室後所定の時間が経過していない旨をメッセージとして表示してもよい。併せて、入室者２の退室時刻や、入室可能時間を表示してもよい。また、インターバルタイムエラーが発生した旨をアラームとして発報し（アラーム発報）、サーバ２２上に履歴を残し、クライアントＰＣ２３上でアラームを表示し、アラートを鳴動させてもよい（メッセージ鳴動）。
【００６２】
また、入室者２の退室時刻や退室からの経過時間、入室可能時間については、前記サーバ２２に接続されたＷＥＢサーバ２４（図３参照）によって、ＷＥＢ上で確認できるようにしてもよいし、メールサーバ２５（図３参照）によって、事前に登録された入室者２の所有するパソコンや携帯電話宛てにメール配信してもよい。
以上が、入退室セキュリティシステム２Ｓの入退室管理制御の流れである。
【００６３】
なお、第１実施形態、第２実施形態においては、認証媒体として非接触式カード１２を例示して説明したが、タグキー、携帯電話等でもよく、非接触式カード１２以外の認証媒体を適用してもよいことは勿論である。
【００６４】
また、指静脈認証を生体認証の１例として説明したが、生体認証は、指静脈認証以外に指紋認証、顔による認証、目の眼球による認証、手の平の静脈認証、声紋による認証等でもよく、指静脈認証以外のものを適用することも可能である。
【００６５】
図５は、第２実施形態に係る入退室に伴い入退室管理情報を示す図である。図５は、制御盤２０のＲＯＭに記憶される入退室管理情報２０Ｄ１（２０Ｄ）の一例を示す。入退室管理情報２０Ｄには、入室者２の個人識別情報（ＩＤ）、氏名、入室日時、退室日時、有効フラグ、最終フラグ、インターバルタイムエラー等を有している。入室日時、退室日時は、年月日時分（ｙｙｍｍｄｄｈｈｍｍ）を示す。すなわち、「１８１０１８０９００」は、２０１８年１０月１８日９時００分を意味する。インターバルタイムエラーは、最終退室時刻から所定時間以内に入室要求があった際に設定されるフラグである。
【００６６】
図５に示す例では、個人識別情報が「０００００１」の人は、管理区域１ａ（拠点Ａ）に、２０１８年１０月１８日９時００分に入室し、同日の１２時００分に退室している。また、同日１３時００分に入室し、同日の１５時１０分に退室している。さらに、同日１９時００分に入室し、同日の２３時３０分に退室している。このとき、２３時３０分を含むレコードに最終フラグが「１」に設定されていることから、退室操作（退勤操作）が実施されたことがわかる。ここで、同日の２３時３０分が「最終退室時刻」となる。
【００６７】
そして、個人識別情報が「０００００１」の人は、管理区域１ｂ（拠点Ｂ）に、２０１８年１０月１９日８時３０分に入室している。拠点Ｂに入室する際に、制御部は、前日の２３時３０分から８時間以上経過しているので、入室許可を出したことがわかる。入室したことにより、最終フラグが解除され、「０」に設定されている。
【００６８】
図６は、第２実施形態に係る入退室に伴い入退室管理情報の他の例を示す図である。図６は、制御盤２０のＲＯＭに記憶される入退室管理情報２０Ｄ２（２０Ｄ）の一例を示す。図５の場合、翌日の朝の８時３０分に、管理区域１ｂ（拠点Ｂ）で入室許可されている場合であった。しかし、図６の場合、翌朝の６時３０分に、管理区域１ｂ（拠点Ｂ）で入室を試みた例である。
【００６９】
個人識別情報が「０００００１」の人が、管理区域１ｂ（拠点Ｂ）に、２０１８年１０月１９日６時３０分に入室を試みた。拠点Ｂに入室する際に、制御部は、前日の２３時３０分から８時間以上経過していないので、インターバルタイムエラーにフラグ「１」が設定され、入室の不許可を出したことがわかる。また、最終フラグは解除されず「１」のままである。
【００７０】
この場合、個人識別情報が「０００００１」の人が、２０１８年１０月１９日９時１０分に、再度入室を試みると、制御部は、前日の２３時３０分から８時間以上経過しているので、入室許可を出したことがわかる。入室したことにより、最終フラグが解除されて「０」に設定されるとともに、インターバルエラーのフラグも「０」に設定される。
【００７１】
（変形例）
第２実施形態では、退室操作が有った際に、最終フラグが設定されるとしていたが、これに限定されるわけではない。管理区域の規約で当日を過ぎた際に、自動的に最終フラグを設定してもよい。
【００７２】
図７は、第２実施形態に係る入退室に伴い入退室管理情報のその他の例を示す図である。図７は、制御盤２０のＲＯＭに記憶される入退室管理情報２０Ｄ３（２０Ｄ）の一例を示す。個人識別情報が「０００００１」の人は、退室操作をしないで、翌日の午前０時４０分に退室した場合について説明する。この際、制御部は、翌日になっていると判定し、翌日の０時４０分に自動的に最終フラグを「１」に設定している。
【００７３】
個人識別情報が「０００００１」の人が、管理区域１ｂ（拠点Ｂ）に、２０１８年１０月１９日８時３０分に入室を試みた。拠点Ｂに入室する際に、制御部は、２０１８年１０月１９日０時４０分から８時間以上経過していないので、インターバルタイムエラーにフラグ「１」が設定され、入室の不許可を出したことがわかる。また、最終フラグは解除されず「１」のままである。
【００７４】
図５〜図７に示した入退室管理情報２０Ｄ１〜２０Ｄ３は、その都度、サーバ２２に送信される。サーバ２２は、インターバルタイムエラーが発生している際、適宜、管理者に入室の不許可されたＩＤ（氏名）、入室を試みた日時をメール等で送信してもよい。これにより、管理者は、長時間労働による過重労働者の人を把握することができる。
【００７５】
本実施形態によれば、退室時刻の記録は、退室用のリーダ（例えば、退室用カードリーダ１１ｂ）の周辺に設けた釦１７（押下手段）が押下された場合、「最終退室時刻」として記録し、押下手段が押下されない場合、「最終退室時刻」は記録しないことができる。ここで、図５において、最終フラグが「１」に設定されている退室日時の時刻が「最終退室時刻」となる。また、最終フラグが「０」に設定されている退室日時の時刻は、「最終退室時刻」と認定しないことを意味する。
【００７６】
＜まとめ＞
以上、本発明に係る入退室セキュリティシステムＳは、ビルの出入口となる扉１３と、入室者２が所持する非接触式カード１２のカード情報を読み取る非接触式カードリーダ１１とを兼ね備え、非接触式カードリーダ１１は、扉１３の外側に設置された入室用カードリーダ１１ａと、扉１３の内側に設置された退室用カードリーダ１１ｂが設けられている。入室者２が管理区域１を退室する際に、退室用カードリーダ１１ｂに非接触式カード１２を読み込ませ、退室用カードリーダ１１ｂと接続された制御盤２０を介して、記憶部およびサーバ２２に退室時刻が記録される。次回、入場する際は、当該退室時刻から、事前に設定された所定時間を経過している必要があり、所定の時間を経過する前に入室用カードリーダ１１ａに非接触式カード１２をかざし、入室を試みても、規定の休息時間を経過するまでは、インターバルタイムエラーとなり、再度建物（管理区域１）に入ることを不可としている。
【００７７】
＜作用効果＞
前記構成によれば、本実施形態に係る入退室セキュリティシステムＳを導入することで、退室（退勤）後、規定の休息時間（インターバルタイム）を経過するまでは、物理的に建物を含む管理区域１に入室することを不可としている。このため、事前に設定された規定の休息時間を確保することができ、物理的に長時間労働を抑制することが期待できる。これによって、過重労働の防止につながり、労働者の心身の負担を軽減することが期待できると同時に、物理的に入室を規制することによって、不正に長時間勤務することができなくなるため、長時間労働の監視を行う側にとっても、監視の負荷を軽減することが期待できる。
【００７８】
なお、本発明は前述した実施形態に限定されるものではなく、様々な変形例が含まれる。例えば、前述した実施形態は本発明を分かりやすく説明するために詳細に説明したものであり、必ずしも説明した全ての構成を備えるものに限定されるものではない。また、各実施例の構成の一部について、他の構成の追加・削除・置き換えをすることが可能である。
【符号の説明】
【００７９】
１      管理区域
１ａ    管理区域（拠点Ａ）
１ｂ    管理区域（拠点Ｂ）
２      入室者
１１    非接触式カードリーダ（リーダ）
１１ａ  入室用カードリーダ（非接触式カードリーダ、リーダ）
１１ｂ  退室用カードリーダ（非接触式カードリーダ、リーダ）
１２    非接触式カード（非接触式認証媒体、認証媒体）
１３    扉（電気錠、自動ドア）
１４    生体認証装置
１５    タッチパネル付き表示器
１７    釦（押下手段）
２０    制御盤（制御装置）
２０Ｄ，２０Ｄ１，２０Ｄ２，２０Ｄ３    入退室管理情報
２１    ＨＵＢ
２２    サーバ
２３    クライアントＰＣ
２４    ＷＥＢサーバ
２５    メールサーバ
Ｓ，２Ｓ    入退室セキュリティシステム
【図１】
2020077148.tif 000003
【図２】
2020077148.tif 000004
【図３】
2020077148.tif 000005
【図４】
2020077148.tif 000006
【図５】
2020077148.tif 000007
【図６】
2020077148.tif 000008
【図７】
2020077148.tif 000009